(57)【要約】【課題】  文字や線等の視認性を確保しつつ、記録されるデータ量を少なくすることで通信や表示処理の負担を軽減し、講義等のデータを効率的に記録・再生することができる描写データ記録再生プログラムおよび描写データ記録再生装置ならびに描写データ記録再生方法を提供する。【解決手段】  表示手段２上の任意の位置を指定するとともに、その指定した位置における線描写を指令するための線描写指令信号を入力する描写用入力手段３と、指定された位置座標およびこの位置座標における線描写指令信号の有無を所定の時間間隔毎に描写データリスト４２１として描写データ記憶部４２に記録する描写データ記録手段５１と、描写データリスト４２１から線描写に関する各位置座標を時系列の順番に取得し、線描写指令信号が連続している位置座標同士を時系列順に線で連結していく過程を表示手段２に再生表示させる描写データ再生手段６０としてコンピュータを機能させる。【選択図】  図１
2012137566.tif 000002
【特許請求の範囲】
【請求項１】
表示手段上の任意の位置を指定するとともに、その指定した位置における線描写を指令するための線描写指令信号を入力する描写用入力手段と、
指定された前記位置の座標およびこの位置座標における前記線描写指令信号の有無を所定の時間間隔毎に描写データリストとして描写データ記憶部に記録する描写データ記録手段と、
前記描写データ記憶部の前記描写データリストから前記線描写に関する各位置座標を時系列の順番に取得し、前記線描写指令信号が連続している前記位置座標同士を時系列順に線で連結していく過程を前記表示手段に再生表示させる描写データ再生手段として
コンピュータを機能させる描写データ記録再生プログラム。
【請求項２】
前記表示手段に前記線描写とともに任意のオブジェクトを表示させる場合、前記描写データ再生手段は、前記描写データ記憶部から前記位置座標を取得して前記線描写された線レイヤーを作成する線レイヤー作成部と、オブジェクト記憶部から所定のオブジェクトおよびそのオブジェクト座標を取得して前記オブジェクトが表示されたオブジェクトレイヤーを作成するオブジェクトレイヤー作成部とを有しており、再生時に前記線レイヤーと前記オブジェクトレイヤーとを重ね合わせて前記表示手段に表示させるようにコンピューターを機能させる請求項１に記載の描写データ記録再生プログラム。
【請求項３】
前記描写用入力手段は、前記オブジェクトを移動させる際に所定の前記オブジェクトを選択するためのオブジェクト選択信号を入力できる機能を備えており、
前記描写データ記録手段は、前記オブジェクト選択信号が入力された位置の座標が前記オブジェクトの表示範囲内である場合に前記オブジェクトが選択されたと判断して前記オブジェクトの選択に関する情報を前記所定の時間間隔毎に前記描写データリストに記録し、
前記描写データ再生手段は、前記オブジェクトの選択に関する情報が追加された前記描写データリストを時系列の順番に取得し、前記オブジェクトが連続的に選択されていた場合にその選択信号が入力された前記位置座標の変化分だけ前記オブジェクト座標を書き換えるオブジェクト座標書換部を有しており、このオブジェクト座標書換部により書き換えられた前記オブジェクト座標に基づいて前記オブジェクトレイヤー作成部が前記オブジェクトレイヤーを作成するようにコンピュータを機能させる請求項２に記載の描写データ記録再生プログラム。
【請求項４】
前記描写データ記録手段により記録する場合、記録開始時、この記録開始後から所定の時間間隔毎の記録時および記録停止時において、前記表示手段上に描写された線描写をチャプター用線画像データに変換してチャプター用線画像データ記憶部に記録するチャプター用線画像データ記録手段を有し、
前記描写データ再生手段は、前記チャプター用線画像データ記憶部に記録された前記チャプター用線画像データのうちから任意の時間帯の前記チャプター用線画像データを選択して前記表示手段に表示しうるようにコンピュータを機能させる請求項１から請求項３のいずれかに記載の描写データ記録再生プログラム。
【請求項５】
前記描写データ記録手段の記録を停止して線描写の下書き処理する場合、前記描写用入力手段で指定された位置座標およびこの位置座標における前記線描写指令信号の有無を所定の時間間隔毎に下書用描写データリストとして下書用描写データ記憶部に記録する下書用描写データ記録手段と、
前記下書用描写データ記憶部から前記下書用描写データリストを時系列の順番に取得し、前記線描写指令信号が連続している前記位置座標を抽出するとともに、それら抽出された前記位置座標同士を線で連結し、その線形データとして下書データ記憶部に記録させる下書線形データ記録手段とを有し、
下書線形データを再生表示する場合、前記描写データ再生手段が、前記下書データ記憶部から前記線形データを取得して前記表示手段に表示させるようにコンピュータを機能させる請求項１から請求項４のいずれかに記載の描写データ記録再生プログラム。
【請求項６】
前記描写データ記録手段の記録を停止してオブジェクトの下書き処理をする場合、前記描写用入力手段で移動された所定のオブジェクトおよびその位置座標を所定の時間間隔毎に下書用描写データリストとして下書用描写データ記憶部に記録する下書用描写データ記録手段と、
下書き前後の前記オブジェクトの位置座標を取得して下書データ記憶部に記録させる下書オブジェクト座標記録手段を有し、
前記描写データ再生手段は、前記オブジェクトを表示する場合、前記下書データ記憶部から下書前後の前記オブジェクト座標を読み出して比較し、両値が異なるときに前記下書き後のオブジェクト座標の位置に前記オブジェクトを表示させるようにコンピュータを機能させる請求項２から５のいずれかに記載の描写データ記録再生プログラム。
【請求項７】
前記描写データ記憶部に記録された前記描写データリストの部分的な記録の削除および／または他の描写データリストの挿入が行われた場合、前記チャプター用線画像データ記録手段は、前記描写データリストの初めから終わりにかけて前記チャプター用線画像データを再構成して前記チャプター用線画像データ記憶部に記録させるようにコンピュータを機能させる請求項４から請求項６のいずれかに記載の描写データ記録再生プログラム。
【請求項８】
表示手段上の任意の位置を指定するとともに、その指定した位置における線描写を指令するための線描写指令信号を入力する描写用入力手段と、
指定された前記位置の座標およびこの位置座標における前記線描写指令信号の有無を所定の時間間隔毎に描写データリストとして描写データ記憶部に記録する描写データ記録手段と、
前記描写データ記憶部の前記描写データリストから前記線描写に関する各位置座標を時系列の順番に取得し、前記線描写指令信号が連続している前記位置座標同士を時系列順に線で連結していく過程を前記表示手段に再生表示させる描写データ再生手段と
を有する描写データ記録再生装置。
【請求項９】
前記表示手段に前記線描写とともに任意のオブジェクトを表示させる場合、前記描写データ再生手段は、前記描写データ記憶部から前記位置座標を取得して前記線描写された線レイヤーを作成する線レイヤー作成部と、オブジェクト記憶部から所定のオブジェクトおよびそのオブジェクト座標を取得して前記オブジェクトが表示されたオブジェクトレイヤーを作成するオブジェクトレイヤー作成部とを有しており、再生時に前記線レイヤーと前記オブジェクトレイヤーとを重ね合わせて前記表示手段に表示させる請求項８に記載の描写データ記録再生装置。
【請求項１０】
前記描写用入力手段は、前記オブジェクトを移動させる際に所定の前記オブジェクトを選択するためのオブジェクト選択信号を入力できる機能を備えており、
前記描写データ記録手段は、前記オブジェクト選択信号が入力された位置の座標が前記オブジェクトの表示範囲内である場合に前記オブジェクトが選択されたと判断して前記オブジェクトの選択に関する情報を前記所定の時間間隔毎に前記描写データリストに記録し、
前記描写データ再生手段は、前記オブジェクトの選択に関する情報が追加された前記描写データリストを時系列の順番に取得し、前記オブジェクトが連続的に選択されていた場合にその選択信号が入力された前記位置座標の変化分だけ前記オブジェクト座標を書き換えるオブジェクト座標書換部を有しており、このオブジェクト座標書換部により書き換えられた前記オブジェクト座標に基づいて前記オブジェクトレイヤー作成部が前記オブジェクトレイヤーを作成する請求項９に記載の描写データ記録再生装置。
【請求項１１】
表示手段上の任意の位置を指定するとともに、その指定した位置における線描写を指令するための線描写指令信号を入力する描写用入力ステップと、
指定された前記位置の座標およびこの位置座標における前記線描写指令信号の有無を所定の時間間隔毎に描写データリストとして描写データ記憶部に記録する描写データ記録ステップと、
前記描写データ記憶部の前記描写データリストから前記線描写に関する各位置座標を時系列の順番に取得し、前記線描写指令信号が連続している前記位置座標同士を時系列順に線で連結していく過程を前記表示手段に再生表示させる描写データ再生ステップと
を有する描写データ記録再生方法。
【発明の詳細な説明】
【技術分野】
【０００１】
本発明は、ディスプレイ等の表示手段に表示される内容を記録し、再生する描写データ記録再生プログラムおよび描写データ記録再生装置ならびに描写データ記録再生方法に関するものである。
【背景技術】
【０００２】
従来、通信教育等において行われる授業や講義の視聴は、ＤＶＤやビデオ等の記録媒体に映像を記録して適宜、再生できるようにされてきた。しかし、ＤＶＤ等の記録媒体に記録された映像は、ユーザに記録媒体を送付しなければならず、通信教育を受ける受講生と直接授業を受ける受講生との間で１週間程度のタイムラグが発生するという問題があった。
【０００３】
しかし近年、各家庭にブロードバンド回線が普及し、授業等を録画してインターネット回線を介して配信する、いわゆるオンライン授業が取り入れられてきており、オンライン授業に関する発明もいくつか提案されている。
【０００４】
例えば、特開２００３−２４１６３０号公報では、板書者とこの板書者が板書するボードとを撮影した撮影動画を表示する第一動画と、前記板書者が前記ボードに板書した板書動画を表示する第二動画と、前記第一動画と前記第二動画との同期を取る同期手段と、前記第一動画と前記第二動画とを同時に表示するウェブ閲覧ソフト上の表示領域とを用意し、前記同期手段によって前記第一動画と前記第二動画との同期を取り、前記ウェブ閲覧ソフト上の表示領域に前記第一動画と前記第二動画とを表示することを特徴とした動画配信方法が提案されている（特許文献１）。この特許文献１によると、前記動画配信方法により、板書者とこの板書者がボードに記載した板書自体の動画をウェブ閲覧ソフト上で同期させることができ、臨場感にあふれ、立体的で躍動的、即興性に富み、受講者の明確な作業動作を引き出すことができると記載されている。
【先行技術文献】
【特許文献】
【０００５】
【特許文献１】特開２００３−２４１６３０号公報
【発明の概要】
【発明が解決しようとする課題】
【０００６】
しかしながら、特許文献１に記載された発明においては、動画のデータ量が多いため、以下のような問題を有する。
１．記録時に大容量の記録媒体を必要とし、製造コストが増大してしまう。
２．インターネットの通信速度が十分に得られない場合、送信データ落ちや送信データの遅延が発生して滑らかな動画が表示ができない。
３．コンピュータの表示処理能力が不十分な場合、表示が途中で止まったり細切れのような状態で表示されて滑らかな動画が表示ができない。
４．滑らかな動画が表示されないと受講者も集中できずストレスが大きい。
【０００７】
なお、通信速度が十分に得られない場合やコンピュータの表示処理能力が不十分な場合に、画素数を減らして動画のデータ量を少なくすることで解決する方法も考えられる。しかし、画素数を減らすと、文字等の細い線が視認しにくくなるという問題が新たに発生してしまう。
【０００８】
よって、特許文献１に記載された発明を含む従来の方法では、記録されるデータ量を少なくすることと、再生表示される板書の文字等の視認を確保することとを両立させることは困難であった。
【０００９】
本発明は、このような問題点を解決するためになされたものであって、文字や線等の視認性を確保しつつ、記録されるデータ量を少なくすることで通信や表示処理の負担を軽減し、講義等のデータを効率的に記録・再生することができる描写データ記録再生プログラムおよび描写データ記録再生装置ならびに描写データ記録再生方法を提供することを目的としている。
【課題を解決するための手段】
【００１０】
本発明に係る描写データ記録再生プログラムは、表示手段上の任意の位置を指定するとともに、その指定した位置における線描写を指令するための線描写指令信号を入力する描写用入力手段と、指定された前記位置の座標およびこの位置座標における前記線描写指令信号の有無を所定の時間間隔毎に描写データリストとして描写データ記憶部に記録する描写データ記録手段と、前記描写データ記憶部の前記描写データリストから前記線描写に関する各位置座標を時系列の順番に取得し、前記線描写指令信号が連続している前記位置座標同士を時系列順に線で連結していく過程を前記表示手段に再生表示させる描写データ再生手段としてコンピュータを機能させるものである。また、本発明に係る描写データ記録再生装置は、上記各手段を有している。
【００１１】
また、本発明において、前記表示手段に前記線描写とともに任意のオブジェクトを表示させる場合、前記描写データ再生手段は、前記描写データ記憶部から前記位置座標を取得して前記線描写された線レイヤーを作成する線レイヤー作成部と、オブジェクト記憶部から所定のオブジェクトおよびそのオブジェクト座標を取得して前記オブジェクトが表示されたオブジェクトレイヤーを作成するオブジェクトレイヤー作成部とを有しており、再生時に前記線レイヤーと前記オブジェクトレイヤーとを重ね合わせて前記表示手段に表示させるようにしてもよい。
【００１２】
さらに、本発明において、前記描写用入力手段は、前記オブジェクトを移動させる際に所定の前記オブジェクトを選択するためのオブジェクト選択信号を入力できる機能を備えており、前記描写データ記録手段は、前記オブジェクト選択信号が入力された位置の座標が前記オブジェクトの表示範囲内である場合に前記オブジェクトが選択されたと判断して前記オブジェクトの選択に関する情報を前記所定の時間間隔毎に前記描写データリストに記録し、前記描写データ再生手段は、前記オブジェクトの選択に関する情報が追加された前記描写データリストを時系列の順番に取得し、前記オブジェクトが連続的に選択されていた場合にその選択信号が入力された前記位置座標の変化分だけ前記オブジェクト座標を書き換えるオブジェクト座標書換部を有しており、このオブジェクト座標書換部により書き換えられた前記オブジェクト座標に基づいて前記オブジェクトレイヤー作成部が前記オブジェクトレイヤーを作成するようにしてもよい。
【００１３】
また、本発明において、前記描写データ記録手段により記録する場合、記録開始時、この記録開始後から所定の時間間隔毎の記録時および記録停止時において、前記表示手段上に描写された線描写をチャプター用線画像データに変換してチャプター用線画像データ記憶部に記録するチャプター用線画像データ記録手段を有し、前記描写データ再生手段は、前記チャプター用線画像データ記憶部に記録された前記チャプター用線画像データのうちから任意の時間帯の前記チャプター用線画像データを選択して前記表示手段に表示しうるようにしてもよい。
【００１４】
さらに、本発明において、前記描写データ記録手段の記録を停止して線描写の下書き処理する場合、前記描写用入力手段で指定された位置座標およびこの位置座標における前記線描写指令信号の有無を所定の時間間隔毎に下書用描写データリストとして下書用描写データ記憶部に記録する下書用描写データ記録手段と、前記下書用描写データ記憶部から前記下書用描写データリストを時系列の順番に取得し、前記線描写指令信号が連続している前記位置座標を抽出するとともに、それら抽出された前記位置座標同士を線で連結し、その線形データとして下書データ記憶部に記録させる下書線形データ記録手段とを有し、下書線形データを再生表示する場合、前記描写データ再生手段が、前記下書データ記憶部から前記線形データを取得して前記表示手段に表示させるようにしてもよい。
【００１５】
また、本発明において、前記描写データ記録手段の記録を停止してオブジェクトの下書き処理をする場合、前記描写用入力手段で移動された所定のオブジェクトおよびその位置座標を所定の時間間隔毎に下書用描写データリストとして下書用描写データ記憶部に記録する下書用描写データ記録手段と、下書き前後の前記オブジェクトの位置座標を取得して下書データ記憶部に記録させる下書オブジェクト座標記録手段を有し、前記描写データ再生手段は、前記オブジェクトを表示する場合、前記下書データ記憶部から下書前後の前記オブジェクト座標を読み出して比較し、両値が異なるときに前記下書き後のオブジェクト座標の位置に前記オブジェクトを表示させるようにしてもよい。
【００１６】
さらに、本発明において、前記描写データ記憶部に記録された前記描写データリストの部分的な記録の削除および／または他の描写データリストの挿入が行われた場合、前記チャプター用線画像データ記録手段は、前記描写データリストの初めから終わりにかけて前記チャプター用線画像データを再構成して前記チャプター用線画像データ記憶部に記録させるようにしてもよい。
【００１７】
また、本発明に係る描写データ記録再生方法は、表示手段上の任意の位置を指定するとともに、その指定した位置における線描写を指令するための線描写指令信号を入力する描写用入力ステップと、指定された前記位置の座標およびこの位置座標における前記線描写指令信号の有無を所定の時間間隔毎に描写データリストとして描写データ記憶部に記録する描写データ記録ステップと、前記描写データ記憶部の前記描写データリストから前記線描写に関する各位置座標を時系列の順番に取得し、前記線描写指令信号が連続している前記位置座標同士を時系列順に線で連結していく過程を前記表示手段に再生表示させる描写データ再生ステップとを有する。
【発明の効果】
【００１８】
本発明によれば、文字や線等の視認性を確保しつつ、記録されるデータ量を少なくすることで通信や表示処理の負担を軽減し、講義等のデータを効率的に記録・再生することができる。
【図面の簡単な説明】
【００１９】
【図１】本発明に係る描写データ記録再生プログラムを用いた描写データ記録再生装置の一実施形態を示すブロック図である。
【図２】本実施形態における各構成の機能と各種データの流れを示す機能ブロック図である。
【図３】本実施形態における表示手段に表示される画面デザインの一例を示す表示画面図である。
【図４】本実施形態における描写データリスト、下書用描写データリストおよび挿入用描写データリストを示すデータテーブル図である。
【図５】本実施形態における画像データリストを示すデータテーブル図である。
【図６】本実施形態における図形データリストを示すデータテーブル図である。
【図７】本実施形態における文字データリストを示すデータテーブル図である。
【図８】本実施形態におけるオブジェクト座標リストを示すデータテーブル図である。
【図９】本実施形態におけるチャプター用リストを示すデータテーブル図である。
【図１０】本実施形態における下書データリストを示すデータテーブル図である。
【図１１】本実施形態における下書線形データ記録手段により抽出された下書用描写データリストを示すデータテーブル図である。
【図１２】本実施形態における描写データ記録手段が実行された際の処理の流れを示すフローチャート図である。
【図１３】本実施形態における描写データ記録手段の実行例を示すデータ数Ｔ＝１〜４の表示画面図である。
【図１４】本実施形態における描写データ記録手段の実行例を示すデータ数Ｔ＝５〜８の表示画面図である。
【図１５】本実施形態における描写データ記録手段の実行例を示すデータ数Ｔ＝９〜１２の表示画面図である。
【図１６】本実施形態における描写データ記録手段の実行例を示すデータ数Ｔ＝１３〜１６の表示画面図である。
【図１７】本実施形態における下書用描写データ記録手段および下書オブジェクト座標記録手段が実行された際の処理の流れを示すフローチャート図である。
【図１８】本実施形態における下書線形データ記録手段が実行された際の処理の流れを示すフローチャート図である。
【図１９】本実施形態における描写データ再生手段が実行された際の処理の流れを示すフローチャート図である。
【図２０】本実施形態における線レイヤー作成手段が実行された際のフローを示すフローチャート図である。
【図２１】本実施形態におけるオブジェクトレイヤー作成手段が実行された際の処理の流れを示すフローチャート図である。
【図２２】本実施形態における描写データ再生手段による線レイヤーおよびオブジェクトレイヤーの重ね合わせ方の一例を示す図である。
【図２３】本実施形態において、オブジェクトが移動されたときの描写データ再生手段による線レイヤーおよびオブジェクトレイヤーの重ね合わせ方の一例を示す図である。
【図２４】本実施形態におけるチャプター用線画像データ記録手段が実行された際の処理の流れを示すフローチャート図である。
【図２５】本実施形態における描写データ再生手段によりチャプター用線画像データが再生される際の処理の流れを示すフローチャート図である。
【発明を実施するための形態】
【００２０】
以下、本発明に係る描写データ記録再生プログラムおよびこれにより機能される描写データ記録再生装置ならびに描写データ記録再生方法の一実施形態について図面を用いて説明する。図１は、本実施形態の描写データ記録再生プログラム１を用いた描写データ記録再生装置１Ａの構成を示すブロック図である。また、図２は、本実施形態における各構成の機能および各種データの処理の流れを示す機能ブロック図である。
【００２１】
図１に示すように、本実施形態の描写データ記録再生装置１Ａは、主として、記録や再生時に線や図形等のオブジェクトを表示する表示手段２と、描写に関する制御信号等を入力する描写用入力手段３と、描写データ記録再生プログラム１や各種のデータ等を記憶する記憶手段４と、この記憶手段４に各種データを記憶させるるとともに各種のデータを読み出して演算処理する演算処理手段５とから構成される。以下、各構成について詳細に説明する。
【００２２】
表示手段２は、画像や線図、テキストデータ等を表示するCRTや液晶ディスプレイ、プラズマディスプレイ等から構成されている。図２に示すように、本実施形態では、後述する描写データ再生手段６０により発せられた表示信号に基づいて所定の線図やオブジェクト、テキストデータを表示するようになっている。
【００２３】
描写用入力手段３は、表示手段２上の任意の位置を指定するとともに各種の指令信号を入力するものである。本実施形態における描写用入力手段３は、いわゆるマウスであり、図３に示すような表示手段２上に表示されるカーソル３１を移動させることで、所望の指令位置に移動することができ、マウスボタンをクリックすることで線描写指令信号およびオブジェクト選択信号を入力することができる。本実施形態では、左クリックにより線描写指令信号が入力され、右クリックによりオブジェクト選択信号が入力されるようになっている。
【００２４】
なお、描写用入力手段３は、前記マウスに限定されるものではなく、ペンタブレットやタッチパネル等を用いてもよい。また、別途、テキストや数値を入力する操作キー等からなる他の入力手段を備えてもよい。
【００２５】
記憶手段４は、ＲＯＭ（Read Only Memory）、ＲＡＭ（Random Access Memory）、ハードディスク、フラッシュメモリ等によって構成されており、各種のデータを記憶するとともに、演算処理手段５が演算を行う際のワーキングエリアとして機能するものである。
【００２６】
本実施形態における記憶手段４は、図１に示すように、主として、描写データ記録再生プログラム１を記憶するプログラム記憶部４１、描写データリスト４２１を記録する描写データ記憶部４２、オブジェクトやオブジェクト座標を記憶するオブジェクト記憶部４３、チャプター用線画像データを記録するチャプター用線画像データ記憶部４４、下書用描写データリスト４５１を記録する下書用描写データ記憶部４５、下書用描写データリスト４５１に基づき下書き中に作成された線形データを記録する下書データ記憶部４６および挿入用描写データリスト４６１を記憶する挿入用描写データ記憶部４７をそれぞれ有している。以下、各記憶部について具体的に説明する。
【００２７】
プログラム記憶部４１は、所定のプログラムを記憶するものであり、本実施形態では、描写データ記録再生プログラム１が記憶されている。
【００２８】
描写データ記憶部４２は、前記描写用入力手段３により指定された位置座標などを所定の時間間隔毎に描写データリスト４２１として記録するものである。本実施形態では、図４に示すように、記録開始から所定の時間間隔毎に記録されたデータのデータ数Ｔを記録するデータ数欄と、タイマー等により計測される記録開始からの実時間Ｔｉｍｅを記録する実時間欄と、そのデータ数Ｔにおいて前記描写用入力手段３が指定した表示手段２上の位置座標（ｘＴ，ｙＴ）を記録するｘ座標欄およびｙ座標欄と、その位置座標（ｘＴ，ｙＴ）において左クリックまたは右クリックされることにより線描写指令信号またはオブジェクト選択信号が入力されたか否かのクリック状態ｃｄを記録するクリック状態欄と、前記位置座標において選択されたオブジェクトの識別番号ｍｉを記憶するオブジェクト識別番号欄とを有する描写データリスト４２１が記録されている。
【００２９】
本実施形態において、クリック状態欄には、前記位置座標（ｘＴ，ｙＴ）において線描写指令信号またはオブジェクト選択信号が入力されている場合には「１」が記録され、入力されていない場合には「２」が記録される。
【００３０】
また、オブジェクト識別番号欄には、選択されたオブジェクトの種類と各種類毎に付されたオブジェクトの固有番号とを結合した数値が記録されている。本実施形態では、オブジェクトの種類を画像、図形および文字の３種類に分類しており、画像の場合は（１×１００＋画像の番号）により算出された数値が記録され、図形の場合は（２×１００＋図形の番号）により算出された数値が記録され、文字の場合は（３×１００＋文字の番号）により算出された数値が記録される。
【００３１】
オブジェクト記憶部４３は、所定のオブジェクトと、そのオブジェクトが表示される位置座標とを記憶している。また、本実施形態において、各オブジェクトは、図５ないし図８に示すように、画像データリスト４３１、図形データリスト４３２、文字データリスト４３３およびオブジェクト座標リスト４３４として管理されている。
【００３２】
図５に示すように、画像データリスト４３１には、各画像のオブジェクト識別番号ｍｉが記憶されるオブジェクト識別番号欄と、各画像の幅ｗｏｂが記憶される画像幅欄と、各画像の高さｈｏｂが記憶される画像高欄と、各画像のファイル名が記憶される画像ファイル名欄とが用意されている。
【００３３】
同様に、図形データリスト４３２には、図６に示すようにオブジェクト識別番号欄、図形幅欄、図形高欄および図形番号欄が用意されている。図形番号は、後述するオブジェクト作成手段５２により作成される図形と対応した番号である。本実施形態では、直線の場合に「１」が、矢印の場合に「２」が、四角の場合に「３」が、楕円の場合に「４」が記憶される。また、文字データリスト４３３には、図７に示すようにオブジェクト識別番号欄、文字幅欄、文字高欄および操作キー等（図示しない）によって入力されたテキストデータを記憶させるテキストデータ欄が用意されている。
【００３４】
また、図８に示すように、オブジェクト座標リスト４３４には、オブジェクト識別番号欄と、記録時における各オブジェクトの座標（ｘｒｏｂ，ｙｒｏｂ）を記憶する記録用ｘ座標欄および記録用ｙ座標欄と、下書き時のオブジェクトの座標（ｘｄｏｂ，ｙｄｏｂ）を記憶する下書用ｘ座標欄および下書用ｙ座標欄とが用意されている。
【００３５】
以上のようにオブジェクト記憶部４３には、各オブジェクトの大きさ（表示範囲）が特定される情報も合わせて記憶されている。なお、本実施形態ではオブジェクトの中心位置をオブジェクト座標として記憶させているが、オブジェクト上のどの点を記憶させるかは特に限定されるものではなく、任意に設定してよく、例えば、オブジェクトの四隅のいずれかの点の座標をオブジェクト座標として記憶するようにしてもよい。
【００３６】
また、本実施形態において、画像等の各オブジェクトはオブジェクト記憶部４３に記憶されているが、他の記憶部に記憶されていてもよい。他の記憶部に記憶する場合、オブジェクトが記憶されているフォルダ名等を記憶させるフォルダ名欄等を用意すればよい。
【００３７】
次に、チャプター用線画像データ記憶部４４は、後述するチャプター用線画像データ記録手段５３により、描写データ記録手段５１の描写データの記録中に線描写された表示を、所定の時間間隔毎にチャプター用線画像データとして記憶するものである。本実施形態では、チャプター用線画像データとして、後述する線レイヤー作成部６１により作成された線レイヤーをｐｎｇファイルに変換したものが記憶される。
【００３８】
また、本実施形態におけるチャプター用線画像データ記憶部４４には、前記チャプター用線画像データを管理するチャプター用リスト４４１が記憶されており、このチャプター用リスト４４１には、図９に示すように、線画像データが作成された時間におけるデータ数Ｔを記録するデータ数欄と、そのときの実時間Ｔｉｍｅを記録する実時間欄と、チャプター用線画像データのファイル名を記録する線画像データファイル名欄と、そのときに表示されている各オブジェクトのオブジェクト座標（ｘｒｏｂ，ｙｒｏｂ）を記憶するオブジェクト座標欄とが用意されている。なお、オブジェクト座標欄は、表示されるオブジェクト数分が用意される。
【００３９】
下書用描写データ記憶部４５は、記録を一時停止して所定時間における下書処理をする場合に、前記描写用入力手段３により指定された位置座標等を所定の時間間隔毎に下書用描写データリスト４５１として記録するものである。本実施形態において、下書用描写データ記憶部４５に記憶される下書用描写データリスト４５１に用意された各欄は、前記描写データリスト４２１と同じであり、図４に示すように、データ数欄、実時間欄、ｘ座標欄、ｙ座標欄、クリック状態欄およびオブジェクト識別番号欄となる。
【００４０】
下書データ記憶部４６は、前記下書用描写データリスト４５１に基づいて後述する下書線形データ記録手段５５により作成された線形データおよび下書オブジェクト座標記録手段５６により記録される下書き前後のオブジェクト座標（ｘｒｏｂ，ｙｒｏｂ，ｘｄｏｂ，ｙｄｏｂ）を記憶するものである。
【００４１】
本実施形態では、線形データおよび下書き前後のオブジェクト座標（ｘｒｏｂ，ｙｒｏｂ，ｘｄｏｂ，ｙｄｏｂ）を管理する下書データリスト４６１を有しており、下書データリスト４６１は、図１０に示すように、さらに細分化された、時間データを記憶する時間データリスト、下書き時に線描写された線の座標等を記憶する線座標リスト、線形データを記憶する線形データリスト、下書き前後のオブジェクト座標を記憶する下書用オブジェクト座標リストにより構成される。
【００４２】
時間データリストは、データ数欄および実時間欄からなる。また、線座標リストは、描写される線の軌跡を示す座標（ｘｎ，ｙｎ）を記憶するｘ座標欄およびｙ座標欄とともに、各線毎にグループ分けされたグループ番号ｋを記憶するグループ番号欄とを有する。
【００４３】
線形データリストには、線形データそのものが記憶されているが、線形データにファイル名を付してそのファイル名により管理してもよい。
【００４４】
下書用オブジェクト座標リストは、オブジェクト識別番号欄と、下書き前のオブジェクト座標として記録時のオブジェクト座標（ｘｒｏｂ，ｙｒｏｂ）を記録する記録用ｘ座標欄および記録用ｙ座標欄と、下書き後のオブジェクト座標（ｘｄｏｂ，ｙｄｏｂ）を記録する下書用ｘ座標欄および下書用ｙ座標欄とを有している。
【００４５】
挿入用描写データ記憶部４７は、別途、描写データリスト４２１に挿入するためのデータを挿入用描写データリスト４７１として記録するためのものである。よって、挿入用描写データリスト４７１に記録されるデータは前記描写データリスト４２１と同様であり、図４に示すように、データ数欄、実時間欄、ｘ座標欄、ｙ座標欄、クリック状態欄およびオブジェクト識別番号欄が用意されている。
【００４６】
なお、本実施形態における記憶手段４は、描写データ記録再生装置１Ａ内に設けられているが、インターネット内のサーバー等に別途設置されていてもよい。
【００４７】
演算処理手段５は、ＣＰＵ（Central Processing Unit）等から構成されており、図１に示すように、記憶手段４にインストールされた描写データ記録再生プログラム１を実行させることにより、主として、描写用入力手段３からの各種入力信号を描写データリスト４２１として前記描写データ記録部４２に記録する描写データ記録手段５１、任意のオブジェクトを作成して前記オブジェクト記憶部４３に記憶するオブジェクト作成手段５２、チャプター用線画像データ等を前記チャプター用線描写データ記憶部４４に記録するチャプター用線画像データ記録手段５３、下書き時の下書用描写データリスト４５１を前記下書用描写データ記憶部４５に記録する下書用描写データ記録手段５４、前記下書用描写データリスト４５１に基づき線形データを前記下書データリスト４６１に記録する下書線形データ記録手段５５、下書き前後のオブジェクト座標（ｘｒｏｂ，ｙｒｏｂ，ｘｄｏｂ，ｙｄｏｂ）を前記下書データリスト４６１に記録する下書オブジェクト座標記録手段５６、前記挿入用描写データリスト４７１を前記挿入用描写データ記憶部４７に記録する挿入用描写データ記録手段５７、前記挿入用描写データリスト４７１を前記描写データリスト４２１の任意の時間帯に挿入する描写データ挿入手段５８、前記描写データリスト４２１の任意の時間帯を削除する描写データ削除手段５９および前記描写データ記録部４２に記録された描写データリスト４２１に基づき線図やオブジェクトを表示手段２に表示させる描写データ再生手段６０としてそれぞれ描写データ記録再生装置１Ａを機能させるようにされている。以下、演算処理手段５における各構成部についてより詳細に説明する。
【００４８】
描写データ記録手段５１は、図２に示すように、描写用入力手段３から送信される位置指定信号、線描写指令信号およびオブジェクト選択信号を受信し、受信した各信号に基づいて描写用入力手段３により指定された位置座標（ｘＴ，ｙＴ）、その位置座標（ｘＴ，ｙＴ）における線描写指令信号またはオブジェクト選択信号の有無、および、選択されたオブジェクトのオブジェクト識別番号ｍｉを描写データリスト４２１として所定の時間間隔毎に描写データ記憶部４２に記録するものである。
【００４９】
オブジェクト作成手段５２は、予め用意された図形、または、操作キー等（図示しない）によって入力された文字の幅ｗｏｂ、高さｈｏｂおよび座標（ｘｒｏｂ，ｙｒｏｂ）を指定して図形データまたは文字データを作成し、それらデータをオブジェクト記憶部４３に記憶させるためのものである。本実施形態では、図３に示すように、図形データとして直線、矢印、四角および楕円が用意されており、描写用入力手段３等により図形データを指定することができる。また、描写用入力手段３等により図形幅ｗｏｂ、図形高ｈｏｂおよびオブジェクト座標（ｘｒｏｂ，ｙｒｏｂ）を指定し、オブジェクト記憶部４３に記憶させることができる。同様に、文字データの場合、操作キー等（図示しない）によって入力された文字データを描写用入力手段３により文字幅ｗｏｂ、文字高ｈｏｂおよびオブジェクト座標（ｘｒｏｂ，ｙｒｏｂ）を指定し、オブジェクト記憶部４３に記憶させることができる。
【００５０】
チャプター用線画像データ記録手段５３は、前記描写データ記録手段５１による描写データの記録中やユーザからの任意のチャプター作成指示を受けることにより、表示手段２に表示される線描写を所定の時間間隔毎にチャプター用線画像データに変換し、前記チャプター用線画像データ記憶部４４に記録するものである。
【００５１】
本実施形態では、後述する線レイヤー作成部６１により作成された線レイヤーを取得し、チャプター用線画像データに変換している。また、チャプター用線画像データは、記録開始時、この記録開始後から所定の時間間隔毎の記録時および記録停止時においてそれぞれ変換され、記録されている。
【００５２】
さらに、描写データ挿入手段５８または描写データ削除手段５９により描写データリスト４２１の一部挿入や一部削除が行われた場合、任意または自動的に、前記描写データリスト４２１の初めから終わりにかけて前記チャプター用線画像データを再構成して、チャプター用線画像データ記憶部４４に記録することができる。
【００５３】
なお、チャプター用線画像データを記録する所定の時間間隔は、適宜選択されるものであり、本実施形態では、前記描写データ記録手段５１により記録された描写データリスト４２１の記録間隔よりも長い時間間隔に設定されている。また、本実施形態では、線レイヤーをｐｎｇデータに変換しているが、画像データであれば特に限定されるものではなく、ｊｐｇデータ、ｂｍｐデータ等の種々の画像形式を適宜選択してよい。
【００５４】
下書用描写データ記憶手段５４は、前記描写データ記録手段５１の記録を一時停止して線描写の下書き処理またはオブジェクトの下書き処理をする場合、下書きの開始が指示されてから下書きの終了が指示されるまでの間における、位置指定信号、線描写指令信号およびオブジェクト選択信号を受信し、指定された位置座標、その位置座標における線描写指令信号またはオブジェクト選択信号の有無、および、選択されたオブジェクトのオブジェクト識別番号を、所定の時間間隔毎に下書用描写データリスト４５１として下書用描写データ記憶部４５に記録するものである。
【００５５】
下書線形データ記録手段５５は、前記下書描写データ記憶部４５に記憶された下書用描写データリスト４５１を時系列の順番に取得し、前記線描写指令信号が連続している前記位置座標（ｘｎ，ｙｎ）を抽出するとともに、それら抽出された前記位置座標（ｘｎ，ｙｎ）同士を線で連結し、その線形データとして下書データ記憶部４６に記録させるものである。
【００５６】
本実施形態では、図１１に示すように、下書用描写データリスト４５１から線描写指令信号が連続している前記位置座標（ｘｎ，ｙｎ）を抽出する。抽出された連続している位置座標（ｘｎ，ｙｎ）同士は１つのグループとしてグループ番号ｋが付され、図１０に示すように、位置座標（ｘｎ，ｙｎ）とともに下書データ記憶部４６の線座標リストに記憶される。また、同じグループ番号ｋ同士の位置座標（ｘｎ，ｙｎ）は一本の線で結ばれ、線形データとして下書データ記憶部４６１の線形データリストに記憶される。
【００５７】
下書オブジェクト座標記録手段５６は、下書き前後の前記オブジェクトの位置座標（ｘｒｏｂ，ｙｒｏｂ，ｘｄｏｂ，ｙｄｏｂ）を取得し、前記下書データ記憶部４６に記録させるものである。本実施形態では、まず、前記下書用描写データ記憶手段５４によりオブジェクトが選択されていると判別された場合、前記オブジェクト記憶部４３のオブジェクト座標リスト４３４に記憶されている下書用オブジェクト座標を描写用入力手段により指定された位置座標（ｘｄｏｂ，ｙｄｏｂ）に書き換える。この書き換えは、下書き処理中、常に行われる。そして、下書き終了後にそのオブジェクト座標リスト４３４に記憶されている記録用オブジェクト座標（ｘｒｏｂ，ｙｒｏｂ）および下書用オブジェクト座標（ｘｄｏｂ，ｙｄｏｂ）を取得し、各座標を下書データリスト４６１に記憶させている。よって、記録用オブジェクト座標（ｘｒｏｂ，ｙｒｏｂ）が下書き前のオブジェクト座標となり、下書用オブジェクト座標が下書き後のオブジェクト座標（ｘｄｏｂ，ｙｄｏｂ）となる。
【００５８】
挿入用描写データ記録手段５７は、描写データ記憶部４２に記憶された描写データリスト４２１とは別の描写データリストを任意の時間帯に挿入処理する場合の挿入用描写データリスト４７１を作成するためのものである。その動作は、前記描写データ記録手段５１と同様に、位置指定信号、線描写指令信号およびオブジェクト選択信号を受信し、指定された位置座標（ｘＴ，ｙＴ）、その位置座標（ｘＴ，ｙＴ）における線描写指令信号またはオブジェクト選択信号の有無、および、選択されたオブジェクトのオブジェクト識別番号を所定の時間間隔毎に挿入用描写データリスト４７１として挿入用描写データ記憶部４７に記録する。
【００５９】
描写データ挿入手段５８は、描写データ記憶部４２に記憶された描写データリスト４２１に対し、任意の時間帯に前記挿入用描写データリスト４７１を挿入するためのものである。挿入用描写データリスト４７１が挿入された描写データリスト４２１は、データ数Ｔおよび実時間Ｔｉｍｅに、挿入された時間帯分のデータ数および実時間が加えられる。また、挿入された時間帯以降の描写データリスト４２１にも同様に、挿入された時間分のデータ数Ｔおよび実時間Ｔｉｍｅが加えられる。
【００６０】
描写データ削除手段５９は、描写データ記憶部４２に記憶された描写データリスト４２１の任意の時間帯を削除するためのものである。削除された時間帯以降の描写データリスト４２１は、削除された時間帯分のデータ数Ｔおよび実時間Ｔｉｍｅが差し引かれる。
【００６１】
描写データ再生手段６０は、描写データ記録手段４２による記録時、および、記録後において再生する際の再生時に、描写データ記憶部４２の描写データリスト４２１を時系列の順番に取得し、線およびオブジェクトを表示手段２に表示させるものである。本実施形態では、線レイヤー作成部６１、オブジェクトレイヤー作成部６２およびオブジェク座標書換部６３を備えている。
【００６２】
線レイヤー作成部６１は、描写データ記憶部４２の描写データリスト４２１から線描写に関する各位置座標（ｘＴ，ｙＴ）を時系列の順番に取得し、線描写指令信号が連続している位置座標（ｘＴ，ｙＴ）同士を時系列順に線で連結していく過程を描写して線レイヤーを作成するものである。本実施形態において、作成される線レイヤーの背景色は透明であり、オブジェクトレイヤー作成部６２により作成されるオブジェクトレイヤーの前面に重ね合わせることで後側のオブジェクトレイヤーが視認できるようになっている。
【００６３】
オブジェクトレイヤー作成部６２は、オブジェクト記憶部４３から所定のオブジェクトおよびそのオブジェクト座標（ｘｒｏｂ，ｙｒｏｂ）を取得して前記オブジェクトを描写したオブジェクトレイヤーを作成するものである。本実施形態において、作成されるオブジェクトレイヤーの背景色は不透明である。よって、前回に表示された線レイヤーおよびオブジェクトレイヤーの前面に重ね合わせることで、前回の表示を消去することができる。
【００６４】
本実施形態における描写データ再生手段６０は、基本的に、図２２に示すように、前回の表示よりも前面にオブジェクトレイヤーを重ね、さらに、そのオブジェクトレイヤーの前面に線レイヤーを重ねて表示させている。
【００６５】
ただし、オブジェクトが移動していたときには、図２３に示すように、移動したオブジェクトをオブジェクトレイヤーに描写せず、オブジェクトレイヤーは前回の表示を消去するために表示され、オブジェクトは線レイヤーよりも前面に重ねて描写される。これは、オブジェクトの移動時にオブジェクトが描写された線で隠れるのを防ぐためである。
【００６６】
オブジェクト座標書換部６３は、オブジェクトの選択に関する情報が追加された描写データリスト４２１を時系列の順番に取得し、オブジェクトが連続的に選択されていた場合、すなわちオブジェクトが移動された場合に、その選択信号が入力された位置座標（ｘＴ，ｙＴ）の変化分だけ記録用オブジェクト座標（ｘｒｏｂ，ｙｒｏｂ）を書き換えるものである。本実施形態では、オブジェクト記憶部４３に記憶された記録用オブジェクト座標（ｘｒｏｂ，ｙｒｏｂ）を、描写データリスト４２１の位置座標（ｘＴ，ｙＴ）に置き換えるようになっている。
【００６７】
次に、本実施形態の描写データ記録再生プログラム１によって実行される描写データ記録再生装置１Ａの作用および描写データ記録再生方法についてフローチャートおよび図面を用いて説明する。
【００６８】
図１２は本実施形態における描写データ記録手段５１が実行された際の作用を示すフローチャート図であり、図１３〜図１６は、本実施形態における描写データ記録手段５１の実行例を示す表示画面図である。また、図４は、当該実行例のデータ数Ｔ＝１〜１６までを記録した描写データリスト４２１である。
【００６９】
図１２に示すように、描写データ記録手段５１が実行されると、まず初期値としてデータ数Ｔが０に設定される（初期値設定ステップ：Ｓ１０１）。なお、描写データ記録手段５１による描写データリスト４２１の記録が途中から追加記録される場合は前回のデータ数Ｔ−１が用いられる。
【００７０】
次に、データ数Ｔにおける記録開始からの実時間Ｔｉｍｅをタイマーにより計測し、その実時間を取得する（実時間計測ステップ：Ｓ１０２）。データ数とは別に実時間Ｔｉｍｅを記録することで、コンピュータの処理性能に関係なく、記録した実時間Ｔｉｍｅで再生することができるようにするためである。
【００７１】
描写用入力手段３からの位置指定信号を受信し、指定された位置座標（ｘＴ，ｙＴ）を取得する（位置座標取得ステップ：Ｓ１０３）。また、描写用入力手段３から線描写指令信号またはオブジェクト選択信号が発信されているかをマウスボタンがクリックされたか否かにより判別する（クリック状態判別ステップ：Ｓ１０４）。本実施形態では、クリックされていた場合（Ｓ１０４：ＹＥＳ）、クリック状態ｃｄを「１」とし、クリックされていない場合（Ｓ１０４：ＮＯ）、クリック状態ｃｄを「２」とする（クリック状態決定ステップ：Ｓ１０５ａ，Ｓ１０５ｂ）。
【００７２】
例えば、図１３〜図１６におけるデータ数Ｔ＝１〜３、５〜７、９〜１０では、描写用入力手段３から線描写指令信号が入力され、左クリックされており、図４に示すように、クリック状態ｃｄは１として記録されている。また、データ数Ｔ＝１２〜１４では、オブジェクトが選択され右クリックまたは左クリックされており、クリック状態ｃｄは１として記録されている。
【００７３】
次に、記録中にオブジェクトが選択、移動または解除されたかを判別する。具体的には、まず、前回のデータ数（Ｔ−１）における描写データリストのオブジェクト識別番号欄ｍｉが０か否かを判別する（オブジェクト識別番号判別ステップ：Ｓ１０６）。
【００７４】
オブジェクト識別番号ｍｉが０である場合（Ｓ１０６：ＹＥＳ）、オブジェクトが選択されたか否かを判別するため、オブジェクト上で右クリックされたか否かを判別する（オブジェクト選択判別ステップ：Ｓ１０７）。オブジェクト上で右クリックされていた場合（Ｓ１０７：ＹＥＳ）は、オブジェクトが選択されたと判断して当該オブジェクトのオブジェクト識別番号ｍｉを取得する（オブジェクト識別番号決定ステップ：Ｓ１０９ａ，Ｓ１０９ｂ）。本実行例では図４および図１５におけるデータ数Ｔ＝１２がオブジェクトの選択が実行された場合に相当する。
【００７５】
一方、オブジェクト上で右クリックされていない場合（Ｓ１０７：ＮＯ）は、オブジェクトは選択されていないとしてオブジェクト識別番号ｍｉは０とする（Ｓ１０９ｂ）。
【００７６】
また、Ｓ１０６においてオブジェクト識別番号ｍｉが０でない場合（Ｓ１０６：ＮＯ）、オブジェクトは前回のデータ数（Ｔ−１）以前に選択されていたことになる。そこで、連続的にオブジェクトが選択されたか否か、すなわち、オブジェクトが移動されたか否かを判別するため、オブジェクト上でクリックされたか否かを判別する（オブジェクト移動判別ステップ：Ｓ１０８）。なお、本実施形態では、オブジェクトを移動させる際には、右クリック、左クリックの判別はせず、オブジェクト上でクリックされたか否かを判別している。
【００７７】
Ｓ１０８において、オブジェクト上でクリックされたと判別された場合（Ｓ１０８：ＹＥＳ）、オブジェクトは移動されたものとして、オブジェクト識別番号ｍｉを取得する（Ｓ１０９ａ）。これにより、オブジェクトが連続的に選択された情報が描写データリスト４２１に記録されることになる。図４および図１６におけるデータ数Ｔ＝１３〜１４がオブジェクトの移動が行われた場合に相当する。
【００７８】
一方、オブジェクト上でクリックされなかったと判別された場合（Ｓ１０８：ＮＯ）、オブジェクトの選択が解除されたものとして、オブジェクト識別番号ｍｉを０とする（Ｓ１０９ｂ）。図４および図１６のデータ数Ｔ＝１６がオブジェクトの選択が解除された場合に相当する。
【００７９】
次に、前述の処理により取得または判別し、決定されたデータ数Ｔ、実時間Ｔｉｍｅ、位置座標（ｘＴ，ｙＴ）、クリック状態ｃｄおよびオブジェクト識別番号ｍｉを描写データ記憶部４２に描写データリスト４２１として記録する（描写データ記録ステップ：Ｓ１１０）。なお、本実施形態では、全てのデータを取得等してから描写データリスト４２１に記録させているが、これに限定されるものではなく，データの取得等をするごとにその都度記録させるようにしてもよい。
【００８０】
最後に、記録終了の指示があるかを判別する（記録終了判別ステップ：Ｓ１１１）。記録終了が指示されていない場合（Ｓ１１１：ＮＯ）、所定時間待機し（時間待機ステップ：Ｓ１１２）、その後、データ数Ｔに１を加えて（データ数加算ステップ：Ｓ１１３）、Ｓ１１１において記録の終了が指示されるまでＳ１０２〜Ｓ１１０を繰り返される。一方、記録終了が指示された場合（Ｓ１１１：ＹＥＳ）、処理を終了する。
【００８１】
以上のように、描写データリスト４２１に記憶される時系列データは、データ数Ｔ等の値を示すテキストデータのみであり、動画などと比較して飛躍的にデータ容量が低減する。
【００８２】
次に、前記描写データ記録手段５１の記録を停止して線描写の下書き処理またはオブジェクトの下書き処理をする場合について説明する。まず、下書用描写データ記録手段５４による下書用描写データリスト４５１の記録、および、それとともに実行される下書用オブジェクト座標記録手段５６について図１７を用いて説明する。なお、下書用描写データ記録手段５４による下書き処理の開始が指示されてから下書きの終了が指示されるまでの間における下書用描写データリスト４５１の記録ステップは、描写データ記録手段５１による描写データリスト４２１の記録ステップと同等である。よって、下書用描写データ記録手段５４の各ステップのうち、上述した描写データ記録手段５１のステップと同等または相当する構成については同一の符号を付し、再度の説明を省略する。
【００８３】
まず、下書用描写データ記録手段５４は、下書き処理開始とともに、初期値設定ステップ（Ｓ１０１）、実時間計測ステップ（Ｓ１０２）、クリック状態判別ステップ（Ｓ１０４）、クリック状態決定ステップ（Ｓ１０５）を実行する。なお、本実施形態では、下書き処理におけるデータ数はｎとしており、描写データリストにおけるデータ数Ｔと区別している。
【００８４】
次に、下書き処理中にオブジェクトが選択されたか否か、または移動されたか否かを判別するため、オブジェクト識別番号判別ステップ（Ｓ１０６）、オブジェクト選択判別ステップ（Ｓ１０７）、オブジェクト移動判別ステップ（Ｓ１０８）を実行し、オブジェクト識別番号決定ステップ（Ｓ１０９）により、オブジェクト識別番号ｍｉを決定する。
【００８５】
ここで、下書用オブジェクト座標記録手段５６は、オブジェクトが選択された場合（Ｓ１０７：ＹＥＳ）、または、オブジェクトが移動された場合（Ｓ１０８：ＹＥＳ）にオブジェクト記憶部４３のオブジェクト座標リスト４３４における下書用オブジェクト座標（ｘｄｏｂ，ｙｄｏｂ）を位置座標（ｘｎ，ｙｎ）に書き換える（下書用オブジェクト座標書換ステップ：Ｓ２０１）。
【００８６】
下書用描写データ記録手段５４は、各種データを下書用描写データ記憶部４５に下書用描写データリスト４５１として記録し（Ｓ１１０）、下書きが終了されるまで処理を繰り返す（Ｓ１０２〜Ｓ１１１）。
【００８７】
一方、下書用オブジェクト座標記録手段５６は、下書き処理が終了されると（Ｓ１１１：ＹＥＳ）、オブジェクト記憶部４３のオブジェクト座標リストからオブジェクト座標リスト４３４を取得し（オブジェクト座標取得ステップ：Ｓ２０２）、そのオブジェクト座標（ｘｒｏｂ，ｙｒｏｂ，ｘｄｏｂ，ｙｄｏｂ）を下書データリスト４６１に記録に記録し（オブジェクト座標記録ステップ：Ｓ２０３）、下書用描写データ記録手段５４および下書用オブジェクト座標記録手段５６による処理を終了する。
【００８８】
次に、下書線形データ記録手段５５について説明する。下書線形データ記録手段５５は、図１８に示すように、まず、初期値を設定する（初期値設定ステップ：Ｓ３０１）。本実施形態では、データ数ｎが０に設定されている。また、抽出された連続している位置座標同士をグループ分けするためのグループ番号ｋが０に設定されている。さらに、グループ番号をカウントするために用いられるフラグｆｌｇがｆａｌｓｅとして設定されている。
【００８９】
次に、下書用描写データリスト４５１からデータ数ｎの各データを取得する（下書用描写データ取得ステップ：Ｓ３０２）。
【００９０】
次のステップでは、下書用描写データリスト４５１から線描写指令信号が連続している位置座標を抽出する。まず、線描写が指令されているか否かを判別するため、下書用描写データリストのクリック状態ｃｄが１であり、かつオブジェクト識別番号ｍｉが０であるか否かを判別する（線描写指令判別ステップ：Ｓ３０３）。もし、この条件が満たされている場合（Ｓ３０３：ＹＥＳ）は、下書用描写データリストの位置座標（ｘｎ，ｙｎ）およびグループ番号ｋを下書データリストに記録する（下書データ記録ステップ：Ｓ３０４）。そして、フラグｆｌｇをｆａｌｓｅからｔｒｕｅに切り換える（フラグ切り換えステップ：Ｓ３０７ａ）。
【００９１】
一方、下書用描写データリストのクリック状態ｃｄが１で、かつオブジェクト識別番号ｍｉが０である条件を満たさない場合（Ｓ３０３：ＮＯ）、すなわち線描写が指令されていない場合は、ｆｌｇがｔｒｕｅか否かを判別する（フラグ判別ステップ：Ｓ３０５）。グループ番号を変更するかを判別するためである。
【００９２】
ｆｌｇがｔｒｕｅの場合（Ｓ３０５：ＹＥＳ）、グループ番号ｋをカウントして新しいグループ番号に変更し（グループ番号変更ステップ：Ｓ３０６）、フラグｆｌｇをｔｒｕｅからｆａｌｓｅに切り換える（フラグ切り換えステップ：Ｓ３０７ｂ）。
【００９３】
一方、Ｓ３０５においてｆｌｇがｆａｌｓｅの場合（Ｓ３０５：ＮＯ）、グループ番号の変更およびフラグの切り換えは実行されず、次のステップＳ３０８に進む。
【００９４】
次のステップＳ３０８では、データ数ｎに１を加え（データ数カウントステップ：Ｓ３０８）、次のステップで、全データの抽出処理を行ったか否かを判別するため、データ数ｎが下書用描写データリスト４５１に記録された最大の記録データ数ｎｍａｘを越えているか否かを判別する（抽出終了判別ステップ：Ｓ３０９）。
【００９５】
データ数ｎが記録データ数ｎｍａｘを越えていない場合（Ｓ３０９：ＮＯ）は、Ｓ３０２〜Ｓ３０８を繰り返し、データ数ｎが記録データ数ｎｍａｘを越えた場合（Ｓ３０９：ＹＥＳ）は、次のステップＳ３１０に進む。
【００９６】
次のステップＳ３１０以降では、線形データを作成する。まず、データ数ｎを初期値０に戻す（初期値設定ステップ：Ｓ３１０）。そして、下書用描写データリスト４５１に記録されたデータ数ｎにおける位置座標（ｘｎ，ｙｎ）およびグループ番号ｋｎと、データ数ｎ＋１における位置座標（ｘｎ＋１，ｙｎ＋１）およびグループ番号ｋｎ＋１を取得する（位置座標取得ステップ：Ｓ３１１）。
【００９７】
そして、取得されたデータ数ｎにおける位置座標（ｘｎ，ｙｎ）とデータ数ｎ＋１における位置座標（ｘｎ＋１，ｙｎ＋１）のグループが同一か否かを判別する（グループ判別ステップ：Ｓ３１２）。
【００９８】
グループが同一ならデータ数ｎにおける位置座標（ｘｎ，ｙｎ）およびデータ数ｎ＋１における位置座標（ｘｎ＋１，ｙｎ＋１）を線で連結し、線形データを作成する（線形データ作成ステップ：Ｓ３１３）。
【００９９】
そして、データ数ｎに１を加え（データ数カウントステップ：Ｓ３１４）、下書用描写データリストの全データに対して線形データの作成処理を行ったか否かを判別するため、データ数ｎが下書用描写データリストに記録された最大の記録データ数ｎｍａｘを越えているか否かを判別する（線形データ作成終了判別ステップ：Ｓ３１５）。
【０１００】
データ数ｎが記録データ数ｎｍａｘを越えていない場合（Ｓ３１５：ＮＯ）、全データに対して線形データ作成処理が終了するまでＳ３１１〜Ｓ３１４を繰り返す。一方、データ数ｎが記録データ数ｎｍａｘを越えた場合（Ｓ３１５：ＹＥＳ）は、作成された線形データを下書データリストに記録し（線形データ記録ステップ：Ｓ３１６）、処理を終了する。
【０１０１】
次に、描写データ再生手段６０について図１９〜２１を用いて説明する。
【０１０２】
まず、初期値を設定する（初期値設定ステップ：Ｓ４０１）。本実施形態では、データ数Ｔを０として設定している。なお、再生を途中から開始する場合、データ数Ｔを任意に設定すればよい。
【０１０３】
次に、線レイヤー作成手段６１により線レイヤーを作成する（線レイヤー作成ステップ：Ｓ４０２）。具体的には、図２０に示すように、まず、データ数Ｔにおける描写データ記憶部４２に記憶された描写データリスト４２１を取得する（描写データリスト取得ステップ：Ｓ５０１）。次に、下書データ記憶部４６の下書データリスト４６１にデータ数Ｔおける下書データがあるか否かを判別する（下書データ有無判別ステップ：Ｓ５０２）。データ数Ｔにおける下書データがある場合（Ｓ５０２：ＹＥＳ）、下書データリスト４６１から線形データを取得し（線形データ取得ステップ：Ｓ５０３）、その線形データを線レイヤーに描写し（線形データ描写ステップ：Ｓ５０４）、次のステップＳ５０５に進む。
【０１０４】
また、下書データがない場合（Ｓ５０２：ＮＯ）は、直ちに次のステップＳ５０５に進む。
【０１０５】
次のステップＳ５０５以降では、データ数Ｔにおいて、線描写指令信号が入力されているか否かを判別するため、クリック状態ｃｄＴが１であり、かつオブジェクト識別番号ｍｉＴが０であるか否かを判別する（線描写指令信号判別ステップ：Ｓ５０５）。
【０１０６】
クリック状態ｃｄＴが１であり、かつオブジェクト識別番号ｍｉＴが０であった場合（Ｓ５０５：ＹＥＳ）は、連続して線描写指令信号が入力されているか否かを判別するため、描写データリスト４２１の前回のデータ数Ｔ−１における各種データを取得し（前回の描写データリスト取得ステップ：Ｓ５０６）、クリック状態ｃｄＴー１が１であり、かつオブジェクト識別番号ｍｉＴー１が０であるか否かを判別する（前回の線描写指令信号判別ステップ：Ｓ５０７）。
【０１０７】
Ｓ５０７においてクリック状態ｃｄＴー１が１であり、かつオブジェクト識別番号ｍｉＴー１が０であった場合（Ｓ５０８：ＹＥＳ）、データ数Ｔ−１における位置座標（ｘＴー１，ｙＴー１）とデータ数Ｔにおける位置座標（ｘＴ，ｙＴ）とを線で連結して線レイヤーに描写し、描写データ再生手段６０の処理へと戻る。
【０１０８】
一方、データ数Ｔにおいて、クリック状態ｃｄＴが１であり、かつオブジェクト識別番号ｍｉＴが０でなかった場合（Ｓ５０５：ＮＯ）、および、データ数Ｔ−１において、クリック状態ｃｄＴー１が１であり、かつオブジェクト識別番号ｍｉＴー１が０でなかった場合（Ｓ５０７：ＮＯ）は、線レイヤーに線を描写せずに描写データ再生手段６０の処理へと戻る。
【０１０９】
描写データ再生手段６０の次のステップＳ４０３では、オブジェクトレイヤー作成手段６２によりオブジェクトレイヤーが作成される（オブジェクトレイヤー作成ステップ：Ｓ４０３）。具体的には、図２１に示すように、まず、データ数Ｔにおける描写データ記憶部４２に記憶された描写データリスト４２１を取得する（描写データリスト取得ステップ：Ｓ６０１）。次に下書データ記憶部４６の下書データリスト４６１にデータ数Ｔおける下書データがあるか否かを判別する（下書データ有無判別ステップ：Ｓ６０２）。下書データがある場合（Ｓ６０２：ＹＥＳ）、下書き前後のオブジェクト座標を取得するため、下書データリスト４６１から記録用オブジェクト座標（ｘｒｏｂ，ｙｒｏｂ）および下書用オブジェクト座標（ｘｄｏｂ，ｙｄｏｂ）を取得する（オブジェクト座標取得ステップ：Ｓ６０３）。
【０１１０】
次に、オブジェクトが下書き中に移動したか否かを判別するため、記録用オブジェクト座標（ｘｒｏｂ，ｙｒｏｂ）と下書用オブジェクト座標（ｘｄｏｂ，ｙｄｏｂ）とが等しいか否かを判別する（オブジェクト移動判別ステップ：Ｓ６０４）。記録用オブジェクト座標（ｘｒｏｂ，ｙｒｏｂ）と下書用オブジェクト座標（ｘｄｏｂ，ｙｄｏｂ）とが等しく、オブジェクトが移動していないと判別された場合（Ｓ６０４：ＹＥＳ）、当該オブジェクトをオブジェクトレイヤーの記録用オブジェクト座標（ｘｒｏｂ，ｙｒｏｂ）の位置に描写する。
【０１１１】
一方、下書き中にオブジェクトが移動したと判別された場合（Ｓ６０４：ＮＯ）、当該オブジェクトの記録用オブジェクト座標（ｘｒｏｂ，ｙｒｏｂ）は、下書用オブジェクト座標（ｘｄｏｂ，ｙｄｏｂ）に書き換えられる（オブジェクト座標書換ステップ：Ｓ６０５）。そして、そのオブジェクトをオブジェクトレイヤーに描写し（下書オブジェクト描写ステップ：Ｓ６０６）、次のステップＳ６０７に進む。また、下書データがない場合（Ｓ６０２：ＮＯ）は直ちに次のステップＳ６０７に進む。
【０１１２】
次のステップＳでは、オブジェクト座標書換部６３により、オブジェクトが移動されている場合のオブジェクト座標（ｘｒｏｂ，ｙｒｏｂ）の書き換えが行われる。まず、データ数Ｔにおいて、オブジェクトが選択選択されているか否かを判別するため、クリック状態ｃｄＴが１であり、かつオブジェクト識別番号ｍｉＴが０以外であるか否かを判別する（オブジェクト選択判別ステップ：Ｓ６０７）。
【０１１３】
クリック状態ｃｄＴが１であり、かつオブジェクト識別番号ｍｉＴが０以外であった場合（Ｓ６０７：ＹＥＳ）は、連続してオブジェクトが選択されることでオブジェクトが移動しているか否かを判別するため、データ数Ｔ−１における描写データリストを取得し（前回の描写データリスト取得ステップ：Ｓ６０８）、クリック状態ｃｄＴー１が１であり、かつオブジェクト識別番号ｍｉＴー１が０以外であるか否かを判別する（前回のオブジェクト選択判別ステップ：Ｓ６０９）。
【０１１４】
Ｓ６０９においてクリック状態ｃｄＴー１が１であり、かつオブジェクト識別番号ｍｉＴー１が０以外であった場合（Ｓ６０９：ＹＥＳ）は、オブジェクト記憶部４３に記憶されたオブジェクト座標リスト４３４の記録用オブジェクト座標（ｘｒｏｂ，ｙｒｏｂ）をデータ数Ｔにおける位置座標（ｘＴ，ｙＴ）に書き換える（オブジェクト座標書換ステップ：Ｓ６１０）。一方、データ数Ｔにおいて、クリック状態ｃｄＴが１であり、かつオブジェクト識別番号ｍｉＴが０以外でなかった場合（Ｓ６０７：ＮＯ）、および、データ数Ｔ−１において、クリック状態ｃｄＴー１が１であり、かつオブジェクト識別番号ｍｉＴー１が０以外でなかった場合（Ｓ６０９：ＮＯ）は、記録用オブジェクト座標（ｘｒｏｂ，ｙｒｏｂ）を書き換えずに次のステップＳ６１１に進む。
【０１１５】
次のステップＳ６１１では、オブジェクト記憶部４３に記憶されたオブジェクト座標リスト４３４の記録用オブジェクト座標（ｘｒｏｂ，ｙｒｏｂ）を取得し（オブジェクト座標取得ステップ：Ｓ６１１）、オブジェクトをオブジェクトレイヤーに描写し（オブジェクト描写ステップ：Ｓ６１２）、描写データ再生手段６０の処理に戻る。
【０１１６】
図１９に戻り、描写データ再生手段６０の次の処理ステップＳ４０４では、線レイヤーとオブジェクトレイヤーとを重ね合わせて表示手段に表示させる（レイヤー表示ステップ：Ｓ４０４）。本実施形態では、図２２に示すように、前回の表示の前面にオブジェクトレイヤーを重ね、さらに、そのオブジェクトレイヤーの前面に線レイヤーを重ねて表示させている。
【０１１７】
また、オブジェクトが移動されているときには、図２３に示すように、オブジェクトレイヤー作成部６２は、移動したオブジェクトをオブジェクトレイヤーに描写せず、オブジェクトレイヤーは前回の表示を消去するために表示させ、オブジェクトは線レイヤーよりも前面に重ねて描写するようにしている。
【０１１８】
よって、オブジェクトレイヤーにより前回の表示を消去することで、オブジェクトが移動されたときに、移動前のオブジェクトの表示を消去することができ、同じオブジェクトが消されずに残って複数表示されてしまうことを防ぐことができる。
【０１１９】
描写データ再生手段６０の次の処理ステップＳ４０５では、データ数Ｔに１を加え（データ数カウントステップ：Ｓ４０５）、描写データリスト４２１の全データに対して再生処理を行ったか否かを判別するため、データ数Ｔが描写データリスト４２１に記録された最大の記録データ数Ｔｍａｘを越えていないか、または、再生終了の指示がされたか否かを判別する（再生終了判別ステップ：Ｓ４０６）。
【０１２０】
データ数Ｔが記録データ数Ｔｍａｘを越えていない場合か、または、再生終了の指示がされていない場合（Ｓ４０６：ＮＯ）、実時間分待機し（実時間待機ステップ：Ｓ４０７）、Ｓ４０６においてデータ数Ｔが記録データ数Ｔｍａｘを越えるか、または、再生終了の指示がされるまでＳ４０２〜Ｓ４０５を繰り返される。一方、データ数Ｔが記録データ数Ｔｍａｘを越えるか、または、再生終了の指示がされた場合（Ｓ４０６：ＹＥＳ）、処理を終了する。
【０１２１】
以上のように、描写データ再生手段６０は、描写データリスト４２１を取得することで、記録された線の描写およびオブジェクトの描写を実行することができる。
【０１２２】
次に、チャプター用線画像データ記録手段５３について、図２４のフローチャートを用いて説明する。
【０１２３】
チャプター用線画像データ記録手段５３は、前記描写データ記録手段５１による描写データの記録開始と同時に記録を開始する。本実施形態では、まず、線レイヤー作成部６１により作成された線レイヤーを取得する（線レイヤー取得ステップ：Ｓ７０１）。次に、取得した線レイヤーをチャプター用線画像データに変換する（線画像データ変換ステップ：Ｓ７０２）。そして、Ｓ７０２で変換されたチャプター用線画像データにファイル名を付してチャプター用線画像データ記憶部４４に記録する（線画像データ記録ステップ：Ｓ７０３）。また、チャプター用リスト４４１をチャプター用線画像データ記憶部４４に記録する（チャプター用リスト記録ステップ：Ｓ７０４）。
【０１２４】
そして、描写データ記録手段５１による描写データの記録が停止されたか否かを判別する（記録停止判別ステップ：Ｓ７０５）。記録が停止されていない場合（Ｓ７０５：ＮＯ）、所定の時間待機し（時間待機ステップ：Ｓ７０６）、記録が停止されるまでＳ７０１からＳ７０４を繰り返す。一方、記録が停止された場合（Ｓ７０５：ＹＥＳ）、Ｓ７０１からＳ７０４を実行し、記録停止時のチャプター用画像データおよびチャプター用リスト４４１をチャプター用画像データ記憶部４４に記憶させる。
【０１２５】
また、描写データ削除手段５９により描写データ記憶部４２に記録された描写データリスト４２１の部分的な記録の削除が実行されたり、描写データ挿入手段５８により挿入用描写データリスト４７１の挿入が行われた場合、チャプター用線画像データ記録手段５３は、ユーザの指示または自動的に、前記描写データリストの初めから終わりにかけてチャプター用線画像データを再構成して前記チャプター用線画像データ記憶部４４に記録させるようにしてもよい。
【０１２６】
次に、描写データ再生手段６０によるチャプター用線画像データの再生について説明する。まず、チャプター表示させる任意のデータ数Ｔを指定する（チャプター指定ステップ：Ｓ８０１）。なお、本実施形態においては、図３に示す表示手段に表示され、記録時間と対応づけたスライド表示を用いることで指定しているが、指定方法は適宜選択されるものであり、データ数Ｔや実時間Ｔｉｍｅ等の数値を入力することで指定できるようにしてもよい。
【０１２７】
次に、チャプター用線画像データ記憶部４４に記憶されたチャプター用リスト４４１から指定されたデータ数Ｔにおけるデータを取得し、そのチャプター用リスト４４１の線画像データファイル名に基づき、チャプター用線画像データを取得する（線画像データ取得ステップ：Ｓ８０２）。
【０１２８】
次のステップでは、取得されたチャプター用線画像データを線レイヤー作成部６１により線レイヤーに描写させる（チャプター用線レイヤー作成ステップ：Ｓ８０３）。
【０１２９】
また、チャプター用リスト４４１から指定されたデータ数Ｔにおけるデータを取得し、そのチャプター用リスト４４１のオブジェクト座標（ｘｒｏｂ、ｘｒｏｂ）を取得する（オブジェクト座標取得ステップ：Ｓ８０４）。そして、取得されたオブジェクト座標（ｘｒｏｂ、ｘｒｏｂ）に基づき、オブジェクトレイヤー作成部６２によりオブジェクトをオブジェクトレイヤーに描写させる（チャプター用オブジェクトレイヤー作成ステップ：Ｓ８０５）
【０１３０】
最後に、線レイヤーとオブジェクトレイヤーとを重ね合わせて、表示手段２に表示させ（レイヤー表示ステップ：Ｓ８０６）、処理を終了する。
【０１３１】
このように、チャプター用線画像データを用意しておくことにより、記録の開始時点から再生する必要がなく、任意の時間における線描写およびオブジェクト描写を行うことができ、途中からの記録の確認や修正などを容易に行うことができる。
【０１３２】
以上のような本実施形態によれば、以下のような効果を得ることができる。
１．描写データリストに記憶される時系列データは、データ数Ｔ等の値を示すテキストデータのみであり、動画などと比較して飛躍的にデータ容量を低減することができる。
２．記録の再生は記録時と同様に、線描写およびオブジェクト描写が表示画面上で行われるため、見やすく臨場感のある再生が可能となる。
３．前回までの線描写を残した線レイヤーと前回までのオブジェクト描写を残さないオブジェクトレイヤーを用いることで、連続した線描写とともにオブジェクトの移動を行うことができる。
４．チャプターを用意することにより、記録または再生処理を記録の途中から容易に行うことができる。
５．下書きされた線や下書き中に移動されたオブジェクトも描写データとして記録された線やオブジェクトとともに再生することができる。
６．描写データリストの一部の削除や挿入が行われても、チャプターを再構築することができる。
【０１３３】
なお、本発明に係る描写データ記録再生プログラム１および描写データ記録再生装置１Ａならびに描写データ記録再生方法は、前述した一実施形態に限定されるものではなく、適宜変更することができる。
【０１３４】
例えば、音声を入力する音声入力手段を有していてもよく、線やオブジェクトの描写とともに、音声データを再生することができるようにしてもよい。
【符号の説明】
【０１３５】
１  描写データ記録再生プログラム
１Ａ  描写データ記録再生装置
２  表示手段
３  描写用入力手段
４  記憶手段
５  演算処理手段
４１  プログラム記憶部
４２  描写データ記憶部
４３  オブジェクト記憶部
４４  チャプター用線画像データ記憶部
４５  下書用描写データ記憶部
４６  下書データ記憶部
４７  挿入用描写データ記憶部
５１  描写データ記憶手段
５２  オブジェクト作成手段
５３  チャプター用線画像データ記録手段
５４  下書用描写データ記録手段
５５  下書線形データ記録手段
５６  下書オブジェクト座標記録手段
５７  挿入用描写データ記録手段
５８  描写データ挿入手段
５９  描写データ削除手段
６０  描写データ再生手段
６１  線レイヤー作成部
６２  オブジェクトレイヤー作成部
６３  オブジェクト座標書換部
４２１  描写データリスト
４３１  画像データリスト
４３２  図形データリスト
４３３  文字データリスト
４３４  オブジェクト座標リスト
４４１  チャプター用リスト
４５１  下書用描写データリスト
４６１  下書データリスト
４７１  挿入用描写データリスト
【図１】
2012137566.tif 000003
【図２】
2012137566.tif 000004
【図４】
2012137566.tif 000005
【図５】
2012137566.tif 000006
【図６】
2012137566.tif 000007
【図７】
2012137566.tif 000008
【図８】
2012137566.tif 000009
【図９】
2012137566.tif 000010
【図１０】
2012137566.tif 000011
【図１１】
2012137566.tif 000012
【図１２】
2012137566.tif 000013
【図１７】
2012137566.tif 000014
【図１８】
2012137566.tif 000015
【図１９】
2012137566.tif 000016
【図２０】
2012137566.tif 000017
【図２１】
2012137566.tif 000018
【図２４】
2012137566.tif 000019
【図２５】
2012137566.tif 000020
【図３】
2012137566.tif 000021
【図１３】
2012137566.tif 000022
【図１４】
2012137566.tif 000023
【図１５】
2012137566.tif 000024
【図１６】
2012137566.tif 000025
【図２２】
2012137566.tif 000026
【図２３】
2012137566.tif 000027